(57)【要約】【課題】  録画／録音が可能な携帯情報端末において、移動などに起因する録画／録音継続不能状態の場合に、メモリや電源の浪費なく、最適な処理を行うことを可能とする。【解決手段】  ＴＶ放送の受信信号の記録中における受信レベルの低下による記録継続が不可能になったとき（ステップＳ１２０）、少なくとも、放送信号の録画／録音のための記録部の電源を断とし（ステップＳ１３０）、記録継続が不可能になってから所定時間経過後に、受信可能なチャネルをサーチする（ステップＳ１６０，Ｓ１０１）。これにより、所定時間経過後、すなわち、受信レベルが記録可能なレベルまで復帰するに十分な時間経過後に、受信チャネルのサーチを行うことができるので、記録中断を挟むものの、記録継続が可能になる。【選択図】      図３                                                  
2005236453.tif 000002
【特許請求の範囲】
【請求項１】
放送信号を受信する受信手段と、この放送受信信号を記録する記録手段とを含む携帯情報端末であって、
前記放送受信信号の記録中における受信レベルの低下による記録継続が不可能になったとき、少なくとも前記記録手段の電源を断とする手段と、
前記記録継続が不可能になってから所定時間経過後に、受信可能なチャネルをサーチする手段と、
を含むことを特徴とする携帯情報端末。
【請求項２】
前記所定時間は、外部から設定自在であることを特徴とする請求項１記載の携帯情報端末。
【請求項３】
放送信号を受信する受信手段と、この放送受信信号を記録する記録手段とを含む携帯情報端末であって、
前記放送受信信号の記録中における受信レベルの低下による記録継続が不可能になったとき、少なくとも前記記録手段の電源を断とする手段と、
受信位置を検出する手段と、
前記記録継続が不可能になったときに、前記受信位置が変更になったことを検出して、変更後の受信位置に対応する受信チャネルをサーチする手段と、
を含むことを特徴とする携帯情報端末。
【請求項４】
前記記録継続が不可能になったときに、警告を発生する手段を、更に含むことを特徴とする請求項１〜３いずれか記載の携帯情報端末。
【請求項５】
前記サーチする手段により、受信可能チャネルがサーチされたとき、受信信号の記録継続をなすよう制御する手段を、更に含むことを特徴とする請求項１〜４いずれか記載の携帯情報端末。
【請求項６】
前記サーチする手段は、前記記録継続が不可能になる前の受信チャネルと同一の内容の放送番組のチャネルを受信チャネルとするようにしたことを特徴とする請求項５記載の携帯情報端末。
【請求項７】
前記記録継続が不可能になった時間を計測し、これを告知する手段を、更に含むことを特徴とする請求項１〜６いずれか記載の携帯情報端末。
【請求項８】
前記放送信号はＴＶ信号またはＦＭラジオ信号であることを特徴とする請求項１〜７いずれか記載の携帯情報端末。
【請求項９】
放送信号を受信する受信手段と、この放送受信信号を記録する記録手段とを含む携帯情報端末における記録制御方法であって、
前記放送受信信号の記録中における受信レベルの低下による記録継続が不可能になったとき、少なくとも前記記録手段の電源を断とするステップと、
前記記録継続が不可能になってから所定時間経過後に、受信可能なチャネルをサーチするステップと、
を含むことを特徴とする記録制御方法。
【請求項１０】
前記所定時間は、外部から設定自在であることを特徴とする請求項９記載の記録制御方法。
【請求項１１】
放送信号を受信する受信手段と、この放送受信信号を記録する記録手段とを含む携帯情報端末における記録制御方法であって、
前記放送受信信号の記録中における受信レベルの低下による記録継続が不可能になったとき、少なくとも前記記録手段の電源を断とするステップと、
受信位置を検出するステップと、
前記記録継続が不可能になったときに、前記受信位置が変更になったことを検出して、変更後の受信位置に対応する受信チャネルをサーチするステップと、
を含むことを特徴とする記録制御方法。
【請求項１２】
前記記録継続が不可能になったときに、警告を発生するステップを、更に含むことを特徴とする請求項９〜１１いずれか記載の記録制御方法。
【請求項１３】
前記サーチするステップにより、受信可能チャネルがサーチされたとき、受信信号の記録継続をなすよう制御するステップを、更に含むことを特徴とする請求項９〜１２いずれか記載の記録制御方法。
【請求項１４】
前記サーチするステップは、前記記録継続が不可能になる前の受信チャネルと同一の内容の放送番組のチャネルを受信チャネルとするようにしたことを特徴とする請求項１３記載の記録制御方法。
【請求項１５】
前記記録継続が不可能になった時間を計測し、これを告知するステップを、更に含むことを特徴とする請求項９〜１４いずれか記載の記録制御方法。
【請求項１６】
前記放送信号はＴＶ信号またはＦＭラジオ信号であることを特徴とする請求項８〜１５いずれか記載の記録制御方法。
【請求項１７】
放送信号を受信する受信手段と、この放送受信信号を記録する記録手段とを含む携帯情報端末における記録制御方法をコンピュータにより実行させるためのプログラムであって、
前記放送受信信号の記録中における受信レベルの低下による記録継続が不可能になったとき、少なくとも前記記録手段の電源を断とする処理と、
前記記録継続が不可能になってから所定時間経過後に、受信可能なチャネルをサーチする処理と、
を含むことを特徴とするプログラム。
【請求項１８】
放送信号を受信する受信手段と、この放送受信信号を記録する記録手段とを含む携帯情報端末における記録制御方法であってをコンピュータにより実行させるためのプログラムであって、
前記放送受信信号の記録中における受信レベルの低下による記録継続が不可能になったとき、少なくとも前記記録手段の電源を断とする処理と、
受信位置を検出する処理と、
前記記録継続が不可能になったときに、前記受信位置が変更になったことを検出して、変更後の受信位置に対応する受信チャネルをサーチする処理と、
を含むことを特徴とするプログラム。
【発明の詳細な説明】
【技術分野】
【０００１】
本発明は携帯情報端末及び放送受信信号記録制御方法並びにプログラムに関し、特にＴＶ（テレビジョン）信号やＦＭラジオ信号の録画／録音機能を備えた携帯情報端末の改良に関するものである。
【背景技術】
【０００２】
ＴＶチューナーやＦＭラジオチューナー等の付加価値製品が搭載された携帯情報端末の技術が、既に提案されている（特許文献１，２参照）。この場合、携帯情報端末であるから、受信する地域の移動が発生することになるが、この移動により、受信状態が劣化した場合には、予め携帯情報端末内に格納されている地域チャネル情報データベースから、隣接する地域のチャネルの受信状態を確認して、チャネルの設定を移動先の地域のものに自動変更するようになっている。
【特許文献１】特開２００１−２５１２２９号公報
【特許文献２】特開２００３−１５２５７８号公報
【発明の開示】
【発明が解決しようとする課題】
【０００３】
このような、ＴＶチューナーやＦＭラジオチューナー等の付加価値製品が搭載された携帯情報端末において、携帯情報端末内のメモリを使用し、録画／録音をしようとした場合、上述したように、携帯情報端末であるが故に、エリア移動が発生し、現在の録画／録音チャネルでは録画／録音が不可能になる場合が想定される。
【０００４】
かかる場合、上記従来の技術では、録画／録音については何等考慮されてはいないものの、録画／録音時にも、移動による受信状態の劣化が発生した場合に、地域チャネル情報データベースから、隣接する地域のチャネルの受信状態を確認して、チャネルの設定を移動先の地域のものに自動変更する技術が適用できることになる。
【０００５】
しかしながら、録画／録音継続不能状態は、ユーザの移動時間により異なり、その間はノイズの状態が継続することになり、録画／録音が無駄であるばかりか、メモリや電源の浪費ともなり、小型の電池で動作する携帯情報端末では、致命的な欠点となる。
【０００６】
本発明は、移動などに起因する録画／録音継続不能状態における上記の欠点を解決すべくなされたものであって、その目的とするところは、メモリや電源の浪費なく最適な録画／録音が可能な携帯情報端末及び放送受信信号記録制御方法並びにプログラムを提供することにある。
【課題を解決するための手段】
【０００７】
本発明による携帯情報端末は、放送信号を受信する受信手段と、この放送受信信号を記録する記録手段とを含む携帯情報端末であって、前記放送受信信号の記録中における受信レベルの低下による記録継続が不可能になったとき、少なくとも前記記録手段の電源を断とする手段と、前記記録継続が不可能になってから所定時間経過後に、受信可能なチャネルをサーチする手段とを含むことを特徴とする。
【０００８】
本発明による他の携帯情報端末は、放送信号を受信する受信手段と、この放送受信信号を記録する記録手段とを含む携帯情報端末であって、前記放送受信信号の記録中における受信レベルの低下による記録継続が不可能になったとき、少なくとも前記記録手段の電源を断とする手段と、受信位置を検出する手段と、前記記録継続が不可能になったときに、前記受信位置が変更になったことを検出して、変更後の受信位置に対応する受信チャネルをサーチする手段とを含むことを特徴とする。
【０００９】
本発明による記録制御方法は、放送信号を受信する受信手段と、この放送受信信号を記録する記録手段とを含む携帯情報端末における記録制御方法であって、前記放送受信信号の記録中における受信レベルの低下による記録継続が不可能になったとき、少なくとも前記記録手段の電源を断とするステップと、前記記録継続が不可能になってから所定時間経過後に、受信可能なチャネルをサーチするステップとを含むことを特徴とする。
【００１０】
本発明による他の記録制御方法は、放送信号を受信する受信手段と、この放送受信信号を記録する記録手段とを含む携帯情報端末における記録制御方法であって、前記放送受信信号の記録中における受信レベルの低下による記録継続が不可能になったとき、少なくとも前記記録手段の電源を断とするステップと、受信位置を検出するステップと、前記記録継続が不可能になったときに、前記受信位置が変更になったことを検出して、変更後の受信位置に対応する受信チャネルをサーチするステップとを含むことを特徴とする。
【００１１】
本発明によるプログラムは、放送信号を受信する受信手段と、この放送受信信号を記録する記録手段とを含む携帯情報端末における記録制御方法をコンピュータにより実行させるためのプログラムであって、前記放送受信信号の記録中における受信レベルの低下による記録継続が不可能になったとき、少なくとも前記記録手段の電源を断とする処理と、前記記録継続が不可能になってから所定時間経過後に、受信可能なチャネルをサーチする処理とを含むことを特徴とする。
【００１２】
本発明による他のプログラムは、放送信号を受信する受信手段と、この放送受信信号を記録する記録手段とを含む携帯情報端末における記録制御方法であってをコンピュータにより実行させるためのプログラムであって、前記放送受信信号の記録中における受信レベルの低下による記録継続が不可能になったとき、少なくとも前記記録手段の電源を断とする処理と、受信位置を検出する処理と、前記記録継続が不可能になったときに、前記受信位置が変更になったことを検出して、変更後の受信位置に対応する受信チャネルをサーチする処理とを含むことを特徴とする。
【００１３】
本発明の作用を述べる。ＴＶやＦＭ放送の受信信号の記録中における受信レベルの低下による記録継続が不可能になったとき、放送信号の録画／録音のための記録部の電源を断とし、記録継続が不可能になってから所定時間経過後に、受信可能なチャネルをサーチするようにする。これにより、所定時間経過後、すなわち、受信レベルが記録可能なレベルまで復帰するに十分な時間経過後に、受信チャネルのサーチを行うことができるので、記録中断を挟むものの、記録継続が可能になる。
【００１４】
また、ＴＶやＦＭ放送の受信信号の記録中における受信レベルの低下による記録継続が不可能になってから、その後に、エリア変更が検出されると、当該エリア変更後の受信チャネルをサーチする。これにより、最適な受信チャネルがサーチできるので、記録中断を挟むものの、記録継続が可能になる。
【発明の効果】
【００１５】
本発明によれば、放送信号の受信レベル劣化にて記録（録画／録音）継続不能となった時に、その後、所定時間経過した場合、または位置情報抽出回路で抽出されたエリア情報に変更があった場合、自動的に再度録画継続可能な最適なＴＶチャネルがあるかサーチすることができ、途中で録画中断を挟むが、録画継続することが可能となるという効果がある。また、記録継続不能の場合には、少なくとも、直ちに記録部の動作電源をオフとし、消費電力やメモリの無駄な使用を避けることが可能になるという効果もある。
【発明を実施するための最良の形態】
【００１６】
以下に、図面を参照しつつ本発明の実施の形態について詳細に説明する。図１は本発明の一実施の形態のブロック図である。図１を参照すると、ＴＶ録画の場合の例を説明する図であり、ＴＶ信号録画処理回路１５０は、ＴＶアンテナ１１０を介して受信したデータの復号、受信レベルの測定、または録画時に録画用メモリ１１１に受信データを圧縮格納する機能を有し、また、受信レベルが規定のレベル以下になった時に、ＣＰＵ１０５へ通知する機能を有する。
【００１７】
位置情報抽出回路１０３は、図示せぬ基地局からの無線信号を通信用アンテナ１０１を介し無線部１０２で復号し、復号したデータ内より現在の位置情報を抽出する機能を有する。位置情報／ＴＶチャネルメモリ１０６は、通信用アンテナ１０１、無線部１０２、位置情報抽出回路１０３にて検出する位置情報に対するＴＶチャネル系統図をテーブル管理する機能を有する。
【００１８】
上記構成により、ＴＶ受信レベルが規定値以下になった際に、現在の位置情報を即時に把握が可能となり、現在の位置情報にリンクする録画中チャネルと同じ内容が放送されている適切なＴＶチャネルを自動選択することが可能となる。
【００１９】
携帯情報端末特有のエリア変更にて、ＴＶ受信レベルの劣化が発生し、録画処理に影響を与えると判断された場合に、ＣＰＵ１０５は、ＬＣＤ等の表示器１０７、スピーカフォン等の報知器１０８にて、ユーザ−に対してアラーム通知する。操作部１１２は、ユーザーがどのＴＶチャネルを何時から録画したいのか等の録画条件を入力可能な構成とする。この録画条件に準じて、ＣＰＵ１０５はＴＶ信号録画処理回路１５０を操作し、録画用メモリ１１１に録画データを圧縮格納する。
【００２０】
ＴＶ受信レベルが規定値以下となった際に、ＴＶ信号録画処理回路１５０からＣＰＵ１０５へＴＶ録画不能である旨が通知され、ＣＰＵ１０５は、録画処理系（ＴＶ信号録画処理回路１５０及び録画用メモリ１１１）を一旦パワーオフさせるが、ＴＶチャネル再サーチ用タイマ１３０にて、録画処理系パワーオフからのある任意時間後に再度録画開始可能となるように以下の構成とする。
【００２１】
ＴＶチャネル再サーチ用タイマ１３０は、ユーザによる操作部１１２から、任意の時間が設定できるようになっており、且つ予め設定された時間でタイマタイムアウトしたことをＣＰＵ１０５に通知できる機能を有する。ＣＰＵ１０５は、録画処理系（ＴＶ信号録画処理回路１５０及び録画用メモリ１１１）がパワーオフした後に、ＴＶチャネル再サーチ用タイマ１３０を起動させ、任意時間後にＴＶチャネル再サーチ用タイマ１３０より通知されるタイムアウトを検出し、検出後は、現在の位置情報にリンクする録画中チャネルと同じ内容が放送されいる適切なＴＶチャネルを自動選択し録画を再開する。
【００２２】
ＴＶ録画中断時間を計測するために、録画中断時間計測時計１３１を有しており、この録画中断時間計測時計１３１は、ＣＰＵ１０５により、時計の初期化／開始／停止が操作可能であり、且つ、初期化は開始時に自動的に行われるものとし、少なくとも停止時には、ＣＰＵ１０５より経過時間を読み出しすることが可能である構成となっている。
【００２３】
録画中断時間を録画中断時間計測時計１３１より読み出したＣＰＵ１０５は、録画中断時間を録画中断時間表示用画像処理回路１４０へ通知し、録画中断時間表示用画像処理回路１４０は、ＣＰＵ１０５より受け取った録画中断時間を任意の画像に埋め込むことが可能であり、且つ、ＴＶアンテナ１１０経由で受信したＴＶ受信画像サイズと同等のサイズにして画像データを出力する機能を有するものである。
【００２４】
図２は本発明の他の実施の形態のブロック図であり、ＦＭラジオ録音の例を示す。図２を参照すると、ＦＭラジオ信号録音処理回路１１３は、ＦＭラジオアンテナ１１４を介して受信したデータの復号、受信レベルの測定、または録画時に録音用メモリ１１５に受信データを圧縮格納する機能を有し、また受信レベルが規定のレベル以下になった時に、ＣＰＵ１０５へ通知する機能を有する。
【００２５】
位置情報抽出回路１０３は、基地局からの無線信号を通信用アンテナ１０１を介し無線部１０２で復号し、復号したデータより現在の位置情報を抽出する機能を有する。位置情報／ＦＭラジオチャネルメモリ１１６は、通信用アンテナ１０１、無線部１０２、位置情報抽出回路１０３にて検出する位置情報に対するＦＭラジオチャネル系統図をテーブル管理する。
【００２６】
上記構成により、ＦＭラジオ受信レベルが規定値以下となった際に、現在の位置情報を即時に把握が可能となり、現在の位置情報にリンクする現在録音しているチャネルと同じ内容が放送されるＦＭラジオチャネルを自動選択することが可能となる。
【００２７】
携帯情報端末特有のエリア変更にてＦＭラジオ受信レベルの劣化が発生し、録音処理に影響を与えると判断された場合に、ＣＰＵ１０５はＬＣＤ等の表示器１０７、スピーカフォン等の報知器１０８にてユーザーに対してアラーム通知する。操作部１１２は、ユーザーがどのＦＭラジオチャネルを何時から録音したいのか等の録音条件を入力する機能を有する。この録音条件に準じて、ＣＰＵ１０５は、ＦＭラジオ信号録音処理回路１１３を操作し、録音用メモリ１１５に録音データを圧縮格納する。
【００２８】
ＦＭ受信レベルが規定値以下となった際に、ＦＭラジオ信号録音処理回路１１３からＣＰＵ１０５へＦＭラジオ録音不能である旨が通知され、ＣＰＵ１０５は録音処理系（ＦＭラジオ信号録音処理回路１１３及び録音用メモリ１１５）を一旦パワーオフさせるが、ＦＭラジオチャネル再サーチ用タイマ１３２にて、録音処理系パワーオフからのある任意時間後に再度録音開始可能となるように以下の構成とする。
【００２９】
ＦＭラジオチャネル再サーチ用タイマ１３２は、ユーザにより操作部１１２から任意の時間が設定でき、且つ予め設定された時間でタイマタイムアウトしたことをＣＰＵ１０５に通知できる機能を有す。ＣＰＵ１０５は、録音処理系（ＦＭラジオ信号録音処理回路１１３及び録音用メモリ１１５）がパワーオフした後に、ＦＭラジオチャネル再サーチ用タイマ１３２を起動させ、任意時間後にＦＭラジオチャネル再サーチ用タイマ１３２より通知されるタイムアウトを検出し、検出後は、現在の位置情報にリンクする録音中チャネルと同じ内容が放送されいる適切なＦＭラジオチャネルを自動選択し録音を再開する。
【００３０】
図３のフローチャートを用いて、図１に示す装置において、ＴＶ録画中にＴＶ電波環境が悪くなったときの録画再開機能について説明する。ステップＳ１００（以下、「ステップ」なる文言は省略する）では、予め設定さているＴＶ録画時間内であるか否かの判定処理である。現在の時刻がＴＶ録画時間内であるのであれば、ＴＶ録画中であると判断され、Ｓ１０１へ移行し、ＴＶ録画時間外であれば、ＴＶ録画終了処理へ移行する。
【００３１】
Ｓ１０１は、ＴＶ信号録画処理回路をパワーアップし、適切なＴＶチャネルを選択する処理である。予めＴＶ録画予約情報に登録した放送系列を基に、無線部１０２にて復号されたデータ内より現在の位置情報が抽出され、位置情報／ＴＶチャネルメモリ１０６から最適なＴＶチャネルが選択される。
【００３２】
Ｓ１１０では、ＴＶアンテナ１１０経由で受信するＴＶ信号がＴＶ信号録画処理回路１５０にて復号され、録画用メモリ１１１へ圧縮格納される。Ｓ１２０は、ＴＶ信号録画処理回路１５０が規定レベル（ＴＶ電波が微弱と判断するレベル）以下になったか否かを判定する処理である。規定レベル以下と判断した時は、ＣＰＵ１０５へ通知しＳ１３０へ移行し、規定レベル以上であれば、ＴＶ録画処理を維持する。
【００３３】
Ｓ１３０は、録画処理系（ＴＶ信号録画処理回路１５０及び録画用メモリ１１１）をパワーオフし、録画メモリ１１１への受信データの圧縮格納を終了する処理である。Ｓ１４０は、ユーザーに正常に録画できないとアラーム通知する処理であり、ＣＰＵ１０５は表示器１０７へ録画エラーメッセージの表示を命令し、また報知器１０８へアラーム音の鳴動を命令する。
【００３４】
Ｓ１５０は、ＴＶチャネル再サーチ用タイマ１３０を起動する処理であり、この起動タイミングでＴＶチャネルを再サーチするまでの時間を任意で設定することができる。Ｓ１６０は、Ｓ１５０で設定したＴＶチャネル再サーチ用タイマ１３０がタイムアウトしたか否かを判定する処理である。タイムアウトしたのであれば、ＴＶチャネル再サーチ用タイマ１３０よりＣＰＵ１０５に対して通知が行われるので、この通知により、ＣＰＵ１０５はタイムアウトの判定を行えばよい。タイムアウトしたのであればＳ１００へ移行し、タイムアウトしないのであればＳ１６０を維持する。
【００３５】
以上の動作は、図２のＦＭラジオの場合におけるＦＭ信号の録音の際にも全く同様に適用できることは明白であり、ここでは、冗長を避けるために、説明は省略する。
【００３６】
以上の図３に示した動作により、次のような効果が生ずる。すなわち、第１に、ＴＶ受信レベル劣化にて録画継続不能となった時に、ある時間経過後に自動的に再度録画継続可能な最適なＴＶチャネルがあるかサーチすることができ、途中で録画中断を挟むが、録画継続することが可能となることである。
【００３７】
その理由は、ＴＶチャネル再サーチ用タイマ１３０を有し、このタイマはＴＶ受信レベル劣化にて録画継続不能と判断され、録画処理系（ＴＶ信号録画処理回路１５０、録画用メモリ１１１）のパワーダウンした録画処理終了後に起動させ、このタイマのタイムアウトにて最適なＴＶチャネルの再サーチ処理へ移行するからである。このＴＶチャネル再サーチ用タイマ１３０は、ＴＶ受信レベルが劣化する録画不能エリアから移動するであろう予想時間を予め登録することが可能であるので、録画不能エリアから移動したと推測し、最適なＴＶチャネルをサーチすることが可能となる。
【００３８】
この効果は、図２のＦＭラジオのＦＭ信号の録音に際しても、同様に適用されるものである。
【００３９】
第２に、録画継続不能から再度録画再開までの録画中断時間は、録画処理系（ＴＶ信号録画処理回路１５０、録画用メモリ１１１）をパワーダウンすることにより、無駄なバッテリーを消費させないことである。
【００４０】
その理由は、ＴＶ受信レベル劣化にて録画継続不能と判断したならば、直ちに録画処理系（ＴＶ信号録画処理回路１５０、録画用メモリ１１１）をパワーダウンし、録画再開にて直ちに録画処理系（ＴＶ信号録画処理回路１５０、録画用メモリ１１１）をパワーアップする処理フローを採用しているためである。
【００４１】
この効果は、図２のＦＭラジオのＦＭ信号の録音に際しても、同様に適用されるものである。
【００４２】
図４は本発明の他の実施の形態の動作示すフローチャートであり、図３と同等ステップは同一符号により示している。本例では、エリア変更によって発生する現在録画中ＴＶチャネルの受信レベル劣化により、一度、ＴＶ録画処理系をパワーダウンして録画中断した後、位置情報抽出回路１０３を基にエリア変更とＣＰＵ１０５が判断した場合、録画中と同じ内容の番組を放送するチャネルを再サーチし、そのチャネルで録画維持可能とするシステムについて説明する。
【００４３】
Ｓ１００は、予め設定しているＴＶ録画時間内であるか否かの判定処理である。現在の時刻がＴＶ録画時間内であるのであれば、ＴＶ録画中であると判断されＳ１０１へ移行し、ＴＶ録画時間外であれば、ＴＶ録画終了処理へ移行する。
【００４４】
Ｓ１０１は、ＴＶ信号録画処理回路をパワーアップして、適切なＴＶチャネルを選択する処理である。予めＴＶ録画予約情報に登録された放送系列を基に、無線部１０２にて復号されたデータ内より、現在の位置情報が抽出され、位置情報／ＴＶチャネルメモリ１０６から最適なＴＶチャネルが選択される。
【００４５】
Ｓ１１０はＴＶ録画処理であり、ＴＶアンテナ１１０経由で受信されるＴＶ信号はＴＶ信号録画処理回路１５０にて復号され、録画用メモリ１１１へ圧縮格納される。Ｓ１２０は、ＴＶ信号録画処理回路１５０が規定レベル（ＴＶ電波が微弱と判断さるレベル）以下になったか否かを判定する処理である。規定レベル以下と判断された時は、ＣＰＵ１０５へその旨が通知されてＳ１３０へ移行し、規定レベル以上であれば、Ｓ１２０の処理が維持される。
【００４６】
Ｓ１３０は、録画処理系（ＴＶ信号録画処理回路１５０及び録画用メモリ１１１）をパワーオフし、録画メモリ１１１への受信データの圧縮格納を終了する処理である。Ｓ１４０は、ユーザーに正常に録画できないとアラーム通知する処理であり、ＣＰＵ１０５は表示器１０７へ録画エラーメッセージの表示を命令し、また報知器１０８へアラーム音の鳴動を命令し、Ｓ１７０へ移行する。
【００４７】
Ｓ１７０は、通信用アンテナ１０１、無線部１０２及び位置情報抽出回路１０３にて抽出される位置情報より、予め登録されていた位置情報から現在の位置情報に変化があるか否かをＣＰＵ１０５が判断する処理である。エリア変更が検出されれば、最適なＴＶチャネルを再サーチ行うべくＳ１００へ移行し、エリア検出されなければ、Ｓ１７０の処理が維持される。
【００４８】
以上の動作は、図２のＦＭラジオの場合におけるＦＭ信号の録音の際にも全く同様に適用できることは明白であり、ここでは、冗長を避けるために、説明は省略する。
【００４９】
以上の図４に示した動作により、次のような効果が生ずる。すなわち、第１に、ＴＶ受信レベル劣化にて録画継続不能となった時に、その後、位置情報抽出回路１０３で抽出されたエリア情報に変更があった場合、自動的に再度録画継続可能な最適なＴＶチャネルがあるかサーチすることができ、途中で録画中断を挟むが、録画継続することが可能となることである。
【００５０】
その理由は、位置情報抽出回路１０３を有し、この回路にて、登録済みの位置情報と現在、位置情報抽出回路１０３にて抽出された位置情報をＣＰＵ１０５は比較して、不一致であるならばエリア変更が発生したと判断し、このエリア変更をトリガとして最適なＴＶチャネルの再サーチ処理へ移行するからである。このエリア変更により、ＴＶ受信レベルが劣化する録画不能エリアから移動したであろうと推測判断し、最適なＴＶチャネルの再サーチ処理を行う。
【００５１】
この効果は、図２のＦＭラジオのＦＭ信号の録音に際しても、同様に適用されるものである。
【００５２】
第２に、上記図３のフローチャートに示した動作と同様に、録画継続不能から再度録画再開までの録画中断時間は、録画処理系（ＴＶ信号録画処理回路１５０、録画用メモリ１１１）をパワーダウンすることにより、無駄なバッテリーを消費させないことである。
【００５３】
その理由は、ＴＶ受信レベル劣化にて録画継続不能と判断したならば、直ちに録画処理系（ＴＶ信号録画処理回路１５０、録画用メモリ１１１）をパワーダウンし、録画再開にて直ちに録画処理系（ＴＶ信号録画処理回路１５０、録画用メモリ１１１）をパワーアップする処理フローを採用しているためである。
【００５４】
この効果は、図２のＦＭラジオのＦＭ信号の録音に際しても、同様に適用されるものである。
【００５５】
図５のフローチャートを用いて、発明の更に他の実施の形態の動作を説明する。本例では、ＴＶ録画時における、ＴＶチャネル再サーチ用タイマを使用してＴＶ録画を再開した際に、録画中断時間をユーザーに通知すようにしたものである。
【００５６】
Ｓ１２０は、ＴＶ信号録画処理回路１５０が規定レベル（ＴＶ電波が微弱と判断するレベル）以下になったか否かを判定する処理である。規定レベル以下と判断された時には、ＣＰＵ１０５へ通知しＳ１３０へ移行し、規定レベル以上であれば、ＴＶ録画処理が維持される。
【００５７】
Ｓ１３０は、録画処理系（ＴＶ信号録画処理回路１５０及び録画用メモリ１１１）をパワーオフし、録画メモリ１１１への受信データの圧縮格納を終了する処理である。Ｓ１３１は、ＣＰＵ１０５が録画中断時間計測時計１３１を起動させる処理である。なお、初期化は起動時に自動的に行われるものとする。本処理終了後に、Ｓ１４０へ移行する。
【００５８】
Ｓ１４０は、ユーザーに正常に録画できないとアラーム通知する処理であり、ＣＰＵ１０５は表示器１０７へ録画エラーメッセージの表示を命令し、また報知器１０８へアラーム音の鳴動を命令し、Ｓ１５０へ移行する。Ｓ１５０は、ＴＶチャネル再サーチ用タイマ１３０を起動する処理であり、この起動タイミングでＴＶチャネルを再サーチするまでの時間が任意に設定される。
【００５９】
Ｓ１６０は、Ｓ１５０で設定されたＴＶチャネル再サーチ用タイマ１３０がタイムアウトしたか否かを判定する処理である。タイムアウトしたのであれば、ＴＶチャネル再サーチ用タイマ１３０よりＣＰＵ１０５に対して通知が行われるので、この通知を受けて、ＣＰＵ１０５はタイムアウトの判定を行えばよい。タイムアウトしたのであれば、Ｓ１００へ移行し、タイムアウトしないのであれば、Ｓ１６０が維持される。
【００６０】
Ｓ１００は、予め設定しているＴＶ録画時間内であるか否かの判定処理である。現在の時刻がＴＶ録画時間内であるのであれば、ＴＶ録画中であると判断され、Ｓ１１０へ移行し、ＴＶ録画時間外であれば、ＴＶ録画終了処理へ移行することになる。
【００６１】
Ｓ１０１は、ＴＶ信号録画処理回路をパワーアップし、適切なＴＶチャネルを選択する処理である。予めＴＶ録画予約情報に登録した放送系列を基に、無線部１０２にて復号されたデータ内より、現在の位置情報が抽出され、位置情報／ＴＶチャネルメモリ１０６から最適なＴＶチャネルが選択される。
【００６２】
Ｓ１８０は、Ｓ１０１にて録画中のＴＶチャネルを再サーチして検出された最適なＴＶチャネルにて録画継続可能か否かを、ＣＰＵ１０５が判定する処理である。録画継続可能（ＯＫ）と判断されたのであれば、Ｓ１９０へ移行し、録画継続不能（ＮＧ）と判断されたのであれば、Ｓ１３１へ移行し、再度、ＴＶチャネル再サーチ用タイマを起動するルートへ戻る。
【００６３】
Ｓ１９０は、録画中断時間計測時計１３１を停止し、録画中断時間を取得すべく、ＣＰＵ１０５が録画中断時間計測時計１３１内の時間情報をリードする処理である。Ｓ２００は、Ｓ１９０にて取得した録画中断時間を、ＣＰＵ１０５は録画中断時間表示用画像処理回路１４０へ通知し、録画中断時間表示用画像処理回路１４０内にて、ＣＰＵ１０５より受け取った録画中断時間を任意の画像に埋め込んで、録画中断時間表示画像を作成する処理である。
【００６４】
Ｓ１１０は、ＴＶアンテナ１１０経由で受信するＴＶ信号をＴＶ信号録画処理回路１５０にて復号し、録画用メモリ１１１へ圧縮格納する処理である。Ｓ２２０は、Ｓ２００にて作成された録画中断時間表示画像を、ＴＶ受信画像を録画用メモリ１１１へ順次格納する前に挿入する処理である。
【００６５】
Ｓ２２０の処理を説明するにあたって、ＴＶ信号録画処理回路１５０の構成を示した図７を用いて追加説明する。ＴＶ信号録画処理回路１５０は、録画中断時間表示用画像処理回路１４０からの画像データを格納する録画中断時間画像バッファ１５１、ＴＶアンテナ１１０経由で受信するＴＶ信号を復調する復号部１５２、復号部１５２で復号した画像を格納するＴＶ画像受信バッファ１５３といった、２つの１次バッファを有する。
【００６６】
ＣＰＵ１０５からの命令を制御するＣＰＵインターフェース１５６を有し、ＣＰＵインターフェース１５６からの切替制御にて、録画中断時間画像バッファ１５１、もしくは、ＴＶ画像受信バッファ１５３の１次バッファよりどちらかの画像を選択することが可能であるセレクタ回路１５４を有する。ＣＰＵ１０５は、どちらのバッファに格納される画像データを録画データとして使用したいのか随時、切替可能である。
【００６７】
このセレクタ回路１５４にて選択された画像データを格納する、２次バッファであるＴＶ録画バッファ１５５を有し、このバッファ経由で録画メモリ１１１へ録画データは格納される。
【００６８】
以上より、録画再開時に録画中断時間を録画データ内に挿入したい場合は、ＴＶ録画Ｓ１１０を開始時に、ＣＰＵ１０５はセレクタ回路１５４にて録画中断時間画像バッファ１５１を選択し、ある任意時間セレクト後、セレクタ回路１５４にてＴＶ画像受信バッファ１５３に切り替えることにより実現は可能となる。
【００６９】
以上の動作は、図２のＦＭラジオの場合におけるＦＭ信号の録音の際にも全く同様に適用できることは明白であり、ここでは、冗長を避けるために、説明は省略する。
【００７０】
上述した図５のフローチャートの動作により、次のような効果がある。すなわち、録画予約時間内はできる限りＴＶ録画を行う方向性であるため、録画の中断が発生してしまう可能性があり、どれだけ録画中断したのかをユーザに正確に通知することができることである。
【００７１】
その理由は、録画中断計測時計１３１を有し、録画中断計測時計１３１をＴＶ受信レベル劣化にてＴＶ録画不能と判断された時点で、録画中断継続時計１３１を起動させ、再度、録画開始時に録画中断継続時計１３１を停止させることにより録画中断時間を正確に測定できるからである。
【００７２】
この効果は、図２のＦＭラジオのＦＭ信号の録音に際しても、同様に適用されるものである。
【００７３】
図６のフローチャートを参照して、本発明の別の実施の形態の動作について説明する。本例では、ＴＶ録画時における、エリア変更検出してＴＶ録画を再開した際に、録画中断時間をユーザーに通知するようにしたものである。
【００７４】
Ｓ１２０〜Ｓ１４０までは、前述の図５に示したＳ１２０〜Ｓ１４０と同等であるので、その説明は省略する。Ｓ１７０は、通信用アンテナ１０１、無線部１０２，及び位置情報抽出回路１０３にて抽出される位置情報より、予め登録されていた位置情報から現在の位置情報に変化があるか否かを、ＣＰＵ１０５が判断する処理である。エリア変更が検出されたら、最適なＴＶチャネルを再サーチ行うべくＳ１００へ移行し、エリア変更が検出されなければ、Ｓ１７０を維持する。
【００７５】
Ｓ１００は、予め設定しているＴＶ録画時間内であるか否かの判定処理である。現在の時刻がＴＶ録画時間内であれば、ＴＶ録画中であると判断され、Ｓ１０１へ移行し、ＴＶ録画時間外であれば、ＴＶ録画終了処理へ移行する。Ｓ１０１は、ＴＶ信号録画処理回路をパワーアップし、適切なＴＶチャネルを選択する処理である。予めＴＶ録画予約情報に登録した放送系列を基に、無線部１０２にて復号されたデータ内より、現在の位置情報が抽出され、位置情報／ＴＶチャネルメモリ１０６から最適なＴＶチャネルが選択される。
【００７６】
Ｓ１８０〜Ｓ２２０までは、前述の図５のフローチャートと同等であるので、その説明は省略する。また、以上の動作は、図２に示したＦＭ信号の録音の際にも同様に適用されるものである。
【００７７】
なお、上記の各実施例の動作は、予めプログラムとして動作手順をＲＯＭなどの記録媒体に記録しておき、これをコンピュータであるＣＰＵにより読み取って実行させることができることは明白である。
【図面の簡単な説明】
【００７８】
【図１】本発明の実施の形態において、ＴＶ信号録画機能を有する場合の例のブロック図である。
【図２】本発明の実施の形態において、ＦＭ信号録画機能を有する場合のブロック図である。
【図３】本発明の一実施の形態の動作を示すフローチャートである。
【図４】本発明の他の実施の形態の動作を示すフローチャートである。
【図５】本発明の更に他の実施の形態の動作を示すフローチャートである。
【図６】本発明の別の実施の形態の動作を示すフローチャートである。
【図７】ＴＶ信号録画処理回路１５０の具体例を示す図である。
【符号の説明】
【００７９】
１０１  通信用アンテナ
１０２  無線部
１０３  位置情報抽出回路
１０５  中央演算処理部（ＣＰＵ）
１０６  位置情報／ＴＶチャネルメモリ
１０７  表示器
１０８  報知器
１１０  ＴＶアンテナ
１１１  録画用メモリ
１１２  操作部
１１３  ＦＭラジオ信号録音処理回路
１１４  ＦＭラジオアンテナ
１１５  録音用メモリ
１１６  位置情報／ＦＭラジオチャネルメモリ
１３０  ＴＶチャネル再サーチ用タイマ
１３１  録画中断時間計測時計
１３２  ＦＭラジオチャネル再サーチ用タイマ
１４０  録画中断時間表示用画像処理回路
【図１】
2005236453.tif 000003
【図２】
2005236453.tif 000004
【図３】
2005236453.tif 000005
【図４】
2005236453.tif 000006
【図５】
2005236453.tif 000007
【図６】
2005236453.tif 000008
【図７】
2005236453.tif 000009